【手続補正書】
【提出日】平成30年7月26日(2018.7.26)
【手続補正１】
【補正対象書類名】特許請求の範囲
【補正対象項目名】全文
【補正方法】変更
【補正の内容】
【特許請求の範囲】
【請求項１】
第１被係合部と、第２被係合部と、電極ピンを有する電極部と、液体を導入可能な液体導入部と、を備える液体噴射装置の、前記液体導入部に前記液体を供給可能な液体供給ユニットであって、
前記液体を収容可能な液体収容部と、前記液体収容部から前記液体導入部に前記液体を供給可能な液体供給部と、前記第１被係合部に係合可能な第１係合部と、を有する第１筐体と、
前記電極部に電気的接触可能な端子部と、前記第２被係合部に係合可能な第２係合部と、を有する第２筐体と、
前記液体供給ユニットを前記液体噴射装置に装着した状態において、前記第２筐体を前記第１筐体から離れる方向に付勢可能な付勢部と、を備え、
互いに直交する３つの軸をＸ軸、Ｙ軸、及びＺ軸とし、
前記Ｙ軸に沿った方向のうち、正の方向を＋Ｙ軸方向、負の方向を−Ｙ軸方向とし、
前記Ｘ軸と前記Ｚ軸に平行な平面をＸＺ平面としたとき、
前記第１筐体は、第１〜第５の隔壁を有し、
前記第１の隔壁と前記第２の隔壁は、前記第５の隔壁を挟んで前記Ｘ軸に沿って対向し、
前記第３の隔壁と前記第４の隔壁は、前記第５の隔壁を挟んで前記Ｙ軸に沿って対向し、前記第４の隔壁は前記第３の隔壁よりも前記＋Ｙ軸方向に位置しており、
前記液体供給部は、前記第１筐体の前記第５の隔壁に設けられ、
前記第１係合部は、前記第１筐体の前記第３の隔壁から前記−Ｙ軸方向に突出しており、
前記第２筐体は、前記ＸＺ平面に沿って拡がる隔壁を有しており、
前記第２係合部は、前記第２筐体の前記隔壁から前記＋Ｙ軸方向に突出しており、
前記付勢部は、前記第１筐体の前記第４の隔壁と、前記第２筐体の前記隔壁との間に設けられ、前記第１筐体と前記第２筐体とを、前記Ｙ軸方向に沿って互いに遠ざけるように付勢する、
る、
ことを特徴とする液体供給ユニット。
【請求項２】
請求項１に記載の液体供給ユニットにおいて、
前記Ｙ軸と前記Ｚ軸に平行な平面をＹＺ平面としたとき、
前記第２筐体は、さらに、前記ＹＺ平面に沿って拡がり、前記Ｘ軸方向に沿って対向する一対の隔壁を有し、
前記第１筐体の前記第１の隔壁と前記第２の隔壁の外面に、第１ガイド部が設けられ、
前記第２筐体の前記一対の隔壁の、前記第１筐体の前記第１及び第２の隔壁の外面と対向する面に、前記第１ガイド部と接触可能な第２ガイド部が設けられる、
ことを特徴とする液体供給ユニット。
【請求項３】
第１被係合部と、第２被係合部と、電極ピンを有する電極部と、液体を導入可能な液体導入部と、を備える液体噴射装置の、前記液体導入部に前記液体を供給可能な液体供給ユニットであって、
前記第１被係合部に係合可能な第１係合部を有する第１筐体と、
前記液体を収容可能な液体収容部と、前記液体収容部から前記液体導入部に前記液体を供給可能な液体供給部と、前記電極部に電気的接触可能な端子部と、前記第２被係合部に係合可能な第２係合部と、を有する第２筐体と、
前記液体供給ユニットを前記液体噴射装置に装着した状態において、前記第２筐体を前記第１筐体から離れる方向に付勢可能な付勢部と、を備え、
互いに直交する３つの軸をＸ軸、Ｙ軸、及びＺ軸とし、
前記Ｙ軸に沿った方向のうち、正の方向を＋Ｙ軸方向、負の方向を−Ｙ軸方向とし、
前記Ｘ軸と前記Ｚ軸に平行な平面をＸＺ平面としたとき、
前記第１筐体は、前記ＸＺ平面に沿って拡がる隔壁を有しており、
前記第１係合部は、前記第１筐体の前記隔壁から前記−Ｙ軸方向に突出しており、
前記第２筐体は、第１〜第５の隔壁を有し、
前記第１の隔壁と前記第２の隔壁は、前記第５の隔壁を挟んで前記Ｘ軸に沿って対向し、
前記第３の隔壁と前記第４の隔壁は、前記第５の隔壁を挟んで前記Ｙ軸に沿って対向し、前記第４の隔壁は前記第３の隔壁よりも前記＋Ｙ軸方向に位置しており、
前記液体供給部は、前記第２筐体の前記第５の隔壁に設けられ、
前記第２係合部は、前記第２筐体の前記第４の隔壁から前記＋Ｙ軸方向に突出しており、
前記付勢部は、前記第１筐体の前記隔壁と、前記第２筐体の前記第３の隔壁との間に設けられ、前記第１筐体と前記第２筐体とを、前記Ｙ軸方向に沿って互いに遠ざけるように付勢する、
ことを特徴とする液体供給ユニット。
【請求項４】
請求項３に記載の液体供給ユニットにおいて、
前記Ｙ軸と前記Ｚ軸に平行な平面をＹＺ平面としたとき、
前記第１筐体は、さらに、前記ＹＺ平面に沿って拡がり、前記Ｘ軸方向に沿って対向する一対の隔壁を有し、
前記第１筐体の前記一対の隔壁の、前記第２筐体の前記第１及び第２の隔壁の外面と対向する面に、第１ガイド部が設けられ、
前記第２筐体の前記第１の隔壁と前記第２の隔壁の外面に、前記第１ガイド部と接触可能な第２ガイド部が設けられる、
ことを特徴とする液体供給ユニット。
【請求項５】
請求項１から４までのいずれか一項に記載の液体供給ユニットにおいて、
前記第１係合部は、前記液体供給ユニットを前記液体噴射装置に装着した状態において、前記Ｚ軸方向で前記第１被係合部に当接し、
前記第２係合部は、前記液体供給ユニットを前記液体噴射装置に装着した状態において、前記Ｚ軸方向で前記第２被係合部に当接する、
ことを特徴とする液体供給ユニット。
【請求項６】
請求項１から４までのいずれか一項に記載の液体供給ユニットにおいて、
前記第１筐体は前記付勢部を弾性変形させ前記第１筐体の前記第２筐体に対する位置を移動させるために用いられる操作部を有し、
前記操作部は、前記Ｚ軸方向において、前記液体収容部から見て前記液体供給部の反対側に位置している、
ことを特徴とする液体供給ユニット。
【請求項７】
請求項１から４までのいずれか一項に記載の液体供給ユニットにおいて、
前記第２筐体は前記付勢部を弾性変形させ前記第２筐体の前記第１筐体に対する位置を移動させるために用いられる操作部を有し、
前記操作部は、前記Ｚ軸方向において、前記液体収容部から見て前記液体供給部の反対側に位置している、
ことを特徴とする液体供給ユニット。
【請求項８】
請求項１から４までのいずれか一項に記載の液体供給ユニットにおいて、
前記第１筐体は前記付勢部を弾性変形させ前記第１筐体の前記第２筐体に対する位置を移動させるために用いられる第１操作部を有し、
前記第２筐体は前記付勢部を弾性変形させ前記第２筐体の前記第１筐体に対する位置を移動させるために用いられる第２操作部を有し、
前記第１操作部及び前記第２操作部は、前記液体供給ユニットの外面のうち同一の面に設けられている、
ことを特徴とする液体供給ユニット。
【請求項９】
請求項１から４までのいずれか一項に記載の液体供給ユニットにおいて、
前記第１筐体は前記付勢部を弾性変形させ前記第１筐体の前記第２筐体に対する位置を移動させるために用いられる第１操作部を有し、
前記第２筐体は前記付勢部を弾性変形させ前記第２筐体の前記第１筐体に対する位置を移動させるために用いられる第２操作部を有し、
前記第１操作部の少なくとも一部と、前記第２操作部の少なくとも一部とは、前記Ｚ軸方向における高さが等しい、
ことを特徴とする液体供給ユニット。
【手続補正２】
【補正対象書類名】明細書
【補正対象項目名】０００６
【補正方法】変更
【補正の内容】
【０００６】
［適用例１］第１被係合部と、第２被係合部と、電極ピンを有する電極部と、液体を導入可能な液体導入部と、を備える液体噴射装置の、前記液体導入部に前記液体を供給可能な液体供給ユニットであって、前記液体を収容可能な液体収容部と、前記液体収容部から前記液体導入部に前記液体を供給可能な液体供給部と、前記第１被係合部に係合可能な第１係合部と、を有する第１筐体と、前記電極部に電気的接触可能な端子部と、前記第２被係合部に係合可能な第２係合部と、を有する第２筐体と、前記液体供給ユニットを前記液体噴射装置に装着した状態において、前記第２筐体を前記第１筐体から離れる方向に付勢可能な付勢部と、を備え、前記第１筐体は、前記ＸＺ平面に沿って拡がる隔壁を有しており、前記第１係合部は、前記第１筐体の前記隔壁から前記−Ｙ軸方向に突出しており、前記第２筐体は、第１〜第５の隔壁を有し、前記第１の隔壁と前記第２の隔壁は、前記第５の隔壁を挟んで前記Ｘ軸に沿って対向し、前記第３の隔壁と前記第４の隔壁は、前記第５の隔壁を挟んで前記Ｙ軸に沿って対向し、前記第４の隔壁は前記第３の隔壁よりも前記＋Ｙ軸方向に位置しており、前記液体供給部は、前記第２筐体の前記第５の隔壁に設けられ、前記第２係合部は、前記第２筐体の前記第４の隔壁から前記＋Ｙ軸方向に突出しており、前記付勢部は、前記第１筐体の前記隔壁と、前記第２筐体の前記第３の隔壁との間に設けられ、前記第１筐体と前記第２筐体とを、前記Ｙ軸方向に沿って互いに遠ざけるように付勢する、ことを特徴とする液体供給ユニット。
【手続補正３】
【補正対象書類名】明細書
【補正対象項目名】０００７
【補正方法】変更
【補正の内容】
【０００７】
この構成では、第１係合部と第１被係合部との係合状態、及び第２係合部と第２被係合部との係合状態、並びに電極部と端子部との電気的接触状態は、付勢部材が、第１筐体と第２筐体とをＹ軸方向に沿って互いに遠ざけるように付勢することにより実現することができる。また、第１係合部と第１被係合部との係合状態、及び第２係合部と第２被係合部との係合状態、並びに電極部と端子部との電気的接触状態は、第２筐体を第１筐体に近づく方向に変位させることによって解除することができる。これにより、従来技術に無い新たな係合機構によって液体供給ユニットを液体噴射装置に着脱することが可能である。
［適用例２］上記の液体供給ユニットであって、前記Ｙ軸と前記Ｚ軸に平行な平面をＹＺ平面としたとき、前記第２筐体は、さらに、前記ＹＺ平面に沿って拡がり、前記Ｘ軸方向に沿って対向する一対の隔壁を有し、前記第１筐体の前記第１の隔壁と前記第２の隔壁の外面に、第１ガイド部が設けられ、前記第２筐体の前記一対の隔壁の、前記第１筐体の前記第１及び第２の隔壁の外面と対向する面に、前記第１ガイド部と接触可能な第２ガイド部が設けられる、ことを特徴とする液体供給ユニット。
この構成では、第１ガイド部と第２ガイド部が接触することで、第１筐体の第２筐体に対する位置を安定化することができる。
【手続補正４】
【補正対象書類名】明細書
【補正対象項目名】０００８
【補正方法】変更
【補正の内容】
【０００８】
［適用例３］第１被係合部と、第２被係合部と、電極ピンを有する電極部と、液体を導入可能な液体導入部と、を備える液体噴射装置の、前記液体導入部に前記液体を供給可能な液体供給ユニットであって、前記第１被係合部に係合可能な第１係合部を有する第１筐体と、前記液体を収容可能な液体収容部と、前記液体収容部から前記液体導入部に前記液体を供給可能な液体供給部と、前記電極部に電気的接触可能な端子部と、前記第２被係合部に係合可能な第２係合部と、を有する第２筐体と、前記液体供給ユニットを前記液体噴射装置に装着した状態において、前記第２筐体を前記第１筐体から離れる方向に付勢可能な付勢部と、を備え、前記第１筐体は、前記ＸＺ平面に沿って拡がる隔壁を有しており、前記第１係合部は、前記第１筐体の前記隔壁から前記−Ｙ軸方向に突出しており、前記第２筐体は、第１〜第５の隔壁を有し、前記第１の隔壁と前記第２の隔壁は、前記第５の隔壁を挟んで前記Ｘ軸に沿って対向し、前記第３の隔壁と前記第４の隔壁は、前記第５の隔壁を挟んで前記Ｙ軸に沿って対向し、前記第４の隔壁は前記第３の隔壁よりも前記＋Ｙ軸方向に位置しており、前記液体供給部は、前記第２筐体の前記第５の隔壁に設けられ、前記第２係合部は、前記第２筐体の前記第４の隔壁から前記＋Ｙ軸方向に突出しており、前記付勢部は、前記第１筐体の前記隔壁と、前記第２筐体の前記第３の隔壁との間に設けられ、前記第１筐体と前記第２筐体とを、前記Ｙ軸方向に沿って互いに遠ざけるように付勢する、ことを特徴とする液体供給ユニット。
【手続補正５】
【補正対象書類名】明細書
【補正対象項目名】０００９
【補正方法】変更
【補正の内容】
【０００９】
この構成では、第１係合部と第１被係合部との係合状態、及び第２係合部と第２被係合部との係合状態、並びに電極部と端子部との電気的接触状態は、付勢部材が、第１筐体と第２筐体とをＹ軸方向に沿って互いに遠ざけるように付勢することにより実現することができる。また、第１係合部と第１被係合部との係合状態、及び第２係合部と第２被係合部との係合状態、並びに電極部と端子部との電気的接触状態は、第２筐体を第１筐体に近づく方向に変位させることによって解除することができる。これにより、従来技術に無い新たな係合機構によって液体供給ユニットを液体噴射装置に着脱することが可能である。
【手続補正６】
【補正対象書類名】明細書
【補正対象項目名】００１０
【補正方法】変更
【補正の内容】
【００１０】
［適用例４］上記の液体供給ユニットであって、前記Ｙ軸と前記Ｚ軸に平行な平面をＹＺ平面としたとき、前記第１筐体は、さらに、前記ＹＺ平面に沿って拡がり、前記Ｘ軸方向に沿って対向する一対の隔壁を有し、前記第１筐体の前記一対の隔壁の、前記第２筐体の前記第１及び第２の隔壁の外面と対向する面に、第１ガイド部が設けられ、前記第２筐体の前記第１の隔壁と前記第２の隔壁の外面に、前記第１ガイド部と接触可能な第２ガイド部が設けられる、ことを特徴とする液体供給ユニット。
【手続補正７】
【補正対象書類名】明細書
【補正対象項目名】００１１
【補正方法】変更
【補正の内容】
【００１１】
この構成では、第１ガイド部と第２ガイド部が接触することで、第１筐体の第２筐体に対する位置を安定化することができる。
【手続補正８】
【補正対象書類名】明細書
【補正対象項目名】００１２
【補正方法】変更
【補正の内容】
【００１２】
［適用例５］上記の液体供給ユニットであって、前記第１係合部は、前記液体供給ユニットを前記液体噴射装置に装着した状態において、前記Ｚ軸方向で前記第１被係合部に当接し、前記第２係合部は、前記液体供給ユニットを前記液体噴射装置に装着した状態において、前記Ｚ軸方向で前記第２被係合部に当接する、ことを特徴とする液体供給ユニット。
【手続補正９】
【補正対象書類名】明細書
【補正対象項目名】００１４
【補正方法】変更
【補正の内容】
【００１４】
［適用例６］上記の液体供給ユニットであって、前記第１筐体は前記付勢部を弾性変形させ前記第１筐体の前記第２筐体に対する位置を移動させるために用いられる操作部を有し、前記操作部は、前記液体供給ユニットを前記液体噴射装置に装着した状態において、前記Ｚ軸方向と交差する方向において、前記液体収容部から見て前記液体供給部の反対に位置している、ことを特徴とする液体供給ユニット。
【手続補正１０】
【補正対象書類名】明細書
【補正対象項目名】００１６
【補正方法】変更
【補正の内容】
【００１６】
［適用例７］上記の液体供給ユニットであって、前記第２筐体は前記付勢部を弾性変形させ前記第２筐体の前記第１筐体に対する位置を移動させるために用いられる操作部を有し、前記操作部は、前記液体供給ユニットを前記液体噴射装置に装着した状態において、前記Ｚ軸方向と交差する方向において、前記液体収容部から見て前記液体供給部の反対側に位置している、ことを特徴とする液体供給ユニット。
【手続補正１１】
【補正対象書類名】明細書
【補正対象項目名】００１８
【補正方法】変更
【補正の内容】
【００１８】
［適用例８］上記の液体供給ユニットであって、前記第１筐体は前記付勢部を弾性変形させ前記第１筐体の前記第２筐体に対する位置を移動させるために用いられる第１操作部を有し、前記第２筐体は前記付勢部を弾性変形させ前記第２筐体の前記第１筐体に対する位置を移動させるために用いられる第２操作部を有し、前記第１操作部及び前記第２操作部は、前記液体供給ユニットの外面のうち同一の面に設けられている、ことを特徴とする液体供給ユニット。
【手続補正１２】
【補正対象書類名】明細書
【補正対象項目名】００２０
【補正方法】変更
【補正の内容】
【００２０】
［適用例９］上記の液体供給ユニットであって、前記第１筐体は前記付勢部を弾性変形させ前記第１筐体の前記第２筐体に対する位置を移動させるために用いられる第１操作部を有し、前記第２筐体は前記付勢部を弾性変形させ前記第２筐体の前記第１筐体に対する位置を移動させるために用いられる第２操作部を有し、前記第１操作部の少なくとも一部と、前記第２操作部の少なくとも一部とは、前記Ｚ軸方向における高さが等しい、ことを特徴とする液体供給ユニット。
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】